(57)【要約】【課題】電子カメラ又はクレードルが接続されていない状態において、コネクタが保護され、かつコネクタに設けられている接点端子が埃等で汚れることを防止したカメラ装着装置を提供すること。【解決手段】カメラ装着装置１は、上板３と下板６とで形成される外装部材２の内部空間内に配設されるＨＤＤ８と、上板３に載置される電子カメラ又はクレードルが接続されるコネクタ本体１１と、コネクタ本体１１を上板３に対して回動するように保持するコネクタ載置部材１３、１５とを具備している。そして、載置部材１５を回動させることによって、コネクタ本体１１は、開口部３ａから直立して露出した接続状態と、コネクタ本体１１を外装部材２の内部空間内に横向きに収納した収納状態とに変化する。【選択図】図６
2006005484.tif 000002
【特許請求の範囲】
【請求項１】
上板と下板とで形成される外装部材の内部空間内に配設される記録再生するための記録再生装置と、
前記上板に載置される電子カメラ又はクレードルが接続されるコネクタ本体と、
前記コネクタ本体を、前記上板に対して回動自在に保持するコネクタ載置部材と、
を具備することを特徴とするカメラ装着装置。
【請求項２】
外装部材の内部空間内に配設される記録再生するための記録再生装置と、
電子カメラ又はクレードルが載置される、前記外装部材を構成する、開口部を設けた、上板と、
前記開口部に開閉自在に配置される蓋体と、
前記蓋体が開状態において前記開口部から露出して、前記上板に載置される電子カメラ又はクレードルが接続されるコネクタ本体と、
前記コネクタ本体を前記蓋体の回動動作に連動させて、前記開口部から直立して露出する状態から前記内部空間内に横向きで収納される状態まで回動自在に保持するコネクタ載置部材と、
を具備することを特徴とするカメラ装着装置。
【請求項３】
前記コネクタ載置部材は、電子カメラ又はクレードルをコネクタ本体に案内する複数の突起部を有することを特徴とする請求項１又は請求項２に記載のカメラ装着装置。
【請求項４】
前記蓋体と前記コネクタ載置部材とを連動動作させる連動動作機構は、該蓋体又は該コネクタ載置部材を手動又は付勢力によって移動させたときに発生する動力を機械的に伝達する動力伝達機構であることを特徴とする請求項２に記載のカメラ装着装置。
【請求項５】
前記歯車伝達機構に、ダンパ機能部を設けたことを特徴とする請求項４に記載のカメラ装着装置。
【請求項６】
前記ダンパ機能部は、シリコンゲル材を介在させて構成されることを特徴とする請求項５に記載のカメラ装着装置。
【請求項７】
前記記録再生装置は、ディスクドライブ装置であることを特徴とする請求項１又は請求項２に記載のカメラ装着装置。
【請求項８】
前記ディスクドライブ装置は、光ディスク装置又は磁気ディスク装置であることを特徴とする請求項７に記載のカメラ装着装置。
【請求項９】
前記記録再生装置とコネクタ本体とは信号ケーブルによって電気的に接続されていることを特徴とする請求項１又は請求項２に記載のカメラ装着装置。
【請求項１０】
前記コネクタ本体が前記開口部から直立して露出された状態における蓋体からコネクタ本体までの間隔（Ｔ）と、前記コネクタ本体が前記内部空間内に横向きで収納された状態における蓋体からコネクタ本体まで間隔（ｔ）との間に、Ｔ＞ｔの関係を設定したことを特徴とする請求項２に記載のカメラ装着装置。
【発明の詳細な説明】
【技術分野】
【０００１】
本発明は、電子カメラ又はクレードルと接続されるコネクタを有するカメラ装着装置に関する。
【背景技術】
【０００２】
電子カメラを載置して、コネクタ同士を接続することによって、電源の供給、或いは、電子カメラとパソコン等とを通信接続することのできるクレードル装置が知られている。
【０００３】
例えば、特開２００３−３３３４０３号公報には、通常使用時と異なる姿勢でクレードルに載置される電子カメラが示されている。この電子カメラが載置されるクレードルにおいては、該電子カメラに設けられている外部機器接続用コネクタと電気的に接続される、クレードルコネクタがカメラ装着部の底部に設けられている。
【特許文献１】特開２００３−３３３４０３号公報
【発明の開示】
【発明が解決しようとする課題】
【０００４】
しかしながら、特開２００３−３３３４０３号公報に示されている電子カメラでは、カメラ装着部の底部に設けられているクレードルコネクタの端子接点側が上方を向いて露出している。したがって、電子カメラが接続されていない状態においては、クレードルコネクタが露出状態になる。このため、持ち運びには不向きであり、持ち運びの際、露出したクレードルコネクタに何らかの物体がぶつかって破損するおそれがある。また、使用者が誤ってこのクレードルコネクタに触れてしまうことによって端子接点を変形させる等の不具合を発生させるおそれがあった。さらに、露出状態のクレードルコネクタの端子接点は埃等で汚れ易く、接点端子が汚れることによって、導通不良が発生するおそれがあった。
【０００５】
本発明は上記事情に鑑みてなされたものであり、電子カメラ又はクレードルが接続されていない状態において、コネクタが保護され、かつコネクタに設けられている接点端子が埃等で汚れることを防止したカメラ装着装置を提供することを目的にしている。
【課題を解決するための手段】
【０００６】
本発明のカメラ装着装置は、上板と下板とで形成される外装部材の内部空間内に配設される記録再生するための記録再生装置と、前記上板に載置される電子カメラ又はクレードルが接続されるコネクタ本体と、前記コネクタ本体を、前記上板に対して回動自在に保持するコネクタ載置部材とを具備している。
【０００７】
また、外装部材の内部空間内に配設される記録再生するための記録再生装置と、電子カメラ又はクレードルが載置される、前記外装部材を構成する、開口部を設けた、上板と、前記開口部に開閉自在に配置される蓋体と、前記蓋体が開状態において前記開口部から露出して、前記上板に載置される電子カメラ又はクレードルが接続されるコネクタ本体と、前記コネクタ本体を前記蓋体の回動動作に連動させて、前記開口部から直立して露出する状態から前記内部空間内に横向きで収納される状態まで回動自在に保持するコネクタ載置部材とを具備している。
【０００８】
この構成によれば、コネクタ本体を保持しているコネクタ載置部材を回動させることによって、例えばコネクタ本体を横方向に向けて外装部材の内部空間内に収納した状態と、開口部から直立して露出した接続状態とに変化させられる。
【発明の効果】
【０００９】
本発明によれば、電子カメラ又はクレードルが接続されていない状態において、コネクタ本体を横方向に向けた状態にして外装部材の内部空間内に収められるので、コネクタを保護することができ、かつ装置の薄型化を図ることができるという効果を有する。
【発明を実施するための最良の形態】
【００１０】
以下、図面を参照して本発明の実施の形態を説明する。 
図１ないし図９は本発明の一実施形態に係り、図１は蓋部が閉状態のカメラ装着装置を示す図、図２は蓋部が開状態でコネクタ部が露出した状態のカメラ装着装置を示す図、図３はカメラ装着装置の上板と下板とで構成される内部空間に配設されるコネクタとＨＤＤとを説明する図、図４はカメラ装着装置の上板に取り付けられるコネクタを説明する図、図５はカメラ装着装置の上板に取り付けられたコネクタを説明する図、図６は図５のＢ−Ｂ線断面図であって閉状態の蓋部とコネクタとの関係を説明する図、図７は図５のＡ−Ａ線断面図、図８は図５のＢ−Ｂ線断面図であって開状態の蓋部とコネクタとの関係を説明する図、図９はカメラ装着装置の他の構成例を説明する図である。
【００１１】
図１に示すように本実施形態のカメラ装着装置１を構成する外装部材２の上板３には開閉自在な蓋体４が設けられている。この蓋体４は、スイッチ端子５を押圧操作することによって、図に示す閉状態から図２に示す開状態に変化するようになっている。
【００１２】
なお、符号６は外装部材２を構成する下板である。また、符号７は選択スイッチである。この選択スイッチ７は、矢印Ａに示すようにＬＥＤランプ７ａ側又はＬＥＤランプ７ｂ側に移動可能である。そして、選択スイッチ７を例えばＬＥＤランプ７ａ側に移動させることによって、ＬＥＤランプ７ａが点灯状態になる。
【００１３】
例えば、ＬＥＤランプ７ａを点灯させた状態で電子カメラ（不図示）を上板３上の所定位置に載置させ、該電子カメラ内の表示をコピーモードに設定したとき、この電子カメラの画像データが後述するＨＤＤに転送される。一方、選択スイッチ７を、例えばＬＥＤランプ７ｂ側に移動させた点灯状態においては、接続されている例えばパソコン（以下、ＰＣと略記する）から電子カメラ内の保存画像データが要求されたとき、電子カメラに保存されている画像データがＰＣに転送をされるようになっている。
【００１４】
図２の矢印Ｂに示すように蓋体４は回動動作する構成になっている。蓋体４が図２に示す開位置まで移動されると、上板３に形成されている開口部３ａにカメラ装置側コネクタ（以下、コネクタと略記する）１０を構成するコネクタ本体１１の接点端子（不図示）側が上方向を向いた露出状態になる。
【００１５】
なお、符号１２はコネクタ１０を構成するコネクタ本体１１の接点端子が露出状態になることを防止するコネクタ本体保護カバー（以下、保護カバーと略記する）である。保護カバー１２は矢印Ｃに示すように図中の上下方向に対して摺動移動する。具体的には、例えば電子カメラを上板上に載置した状態において移動するようになっている。
【００１６】
また、符号１３はコネクタ１０を構成する第１のコネクタ載置部材（以下、第１載置部材と記載する）である。第１載置部材１３には一対の位置決め用凸部１３ａが設けられている。位置決め用凸部１３ａには、図示しない電子カメラ又はクレードルの外部機器接続用コネクタの近傍に設けられている案内穴が係入配置されるようになっている。この位置決め用凸部１３ａには固定用ネジ（後述する符号１７）が配設されるネジ配設孔１３ｂが形成されている。
【００１７】
図３を参照してカメラ装着装置１の構成を具体的に説明する。 
図に示すようにカメラ装着装置１の外装部材２は上板３と下板６とで構成される。これら上板３と下板６とで形成される内部空間内には、例えば基板８ａが一体に設けられた記録再生装置であるハードディスクドライブ（以下、ＨＤＤと記載する）８と、ＨＤＤ８を保持する固定用板金部材と、コネクタ１０を構成する第１載置部材１３、保護カバー１２を有するコネクタ本体１１及び第２コネクタ載置部材（以下、第２載置部材と略記する）１５と、コネクタ１０が回動自在に保持されるコネクタ設置枠１６等が配設されている。
【００１８】
上板３には蓋体４によって塞がれる開口部３ａと、スイッチ端子５が配設される貫通孔３ｂとが形成されている。スイッチ端子５は略Ｔ字形状であり、後述する連結端子（図３の符号２４）を、この連結端子２４が備える付勢力に抗して所定方向に摺動移動させる作用部５ａが設けられている。
【００１９】
蓋体４は、開口部３ａを略隙間なく塞ぐように形成されている。蓋体４の両側部には後述する支持部となる凸部４ａが設けられている。一方の凸部４ａには、所定の歯数で形成された蓋用歯車２１が例えば一体的に設けられている。
【００２０】
保護カバー１２を有するコネクタ本体１１の略中央部には、このコネクタ本体１１を先端側部１１ａと基端側部１１ｂとに分割するフランジ１１ｃが設けられている。
【００２１】
第１載置部材１３は平板状で硬質な樹脂部材で形成されている。第１載置部材１３の略中央部には保護カバー１２が摺動自在に配置される角穴１３ｃが形成されている。一対の位置決め用凸部１３ａは第１載置部材１３の一面側に形成されている。
【００２２】
第２載置部材１５は硬質な樹脂部材で形成されている。また、第２載置部材１５の両側部にはそれぞれ円柱状の回動保持部１５ｂが設けられている。一方の回動保持部１５ｂの先端側には、付勢用の捻りコイルバネ１８が配置される凸部１５ｃが設けられ、他方の回動保持部１５ｂには歯数を所定数に設定したコネクタ側歯車２２が一体的に設けられている。さらに、第２載置部材１５には前記ネジ配設孔１３ｂに対向する雌ねじ部（不図示）及びフランジ１１ｃが配設される凹部（不図示）が設けられている。
【００２３】
したがって、コネクタ本体１１の先端側部１１ａに第１載置部材１３の角穴１３ｃを挿入配置させる一方、コネクタ本体１１の基端側部１１ｂに第２載置部材１５を配置させる。そして、この配置状態で第１載置部材１３のネジ配設孔１３ｂに固定ネジ１７を挿入し、この固定ネジ１７を第２載置部材１５に設けられている雌ねじ部に螺合する。このことによって、コネクタ本体１１が、第１載置部材１３と第２載置部材１５とで挟持保持されて、図４に示すコネクタ１０が構成される。
【００２４】
コネクタ設置枠１６は硬質な樹脂部材で略凹字形状に形成されている。コネクタ設置枠１６に設けられた凹部１６ａ内にはコネクタ１０が配設される。コネクタ設置枠１６には、コネクタ１０を構成する第２載置部材１５に設けられている回動保持部１５ｂが回動自在に配設される一対の第１支持凹部１６ｂ、１６ｃが設けられている。第１支持凹部１６ｃには、コネクタ側歯車２２の軸部が回動自在に設けられるようになっている。
【００２５】
また、コネクタ設置枠１６の第１支持凹部１６ｃ近傍の側部所定位置には所定の歯数で形成された伝達用歯車２３が回動自在に配設される軸部１６ｄと、前記スイッチ端子５によって摺動移動される連結端子２４を構成する後述する枠部（図中の符号２４ａ）が配置される連結端子設置部１６ｅが設けられている。連結端子設置部１６ｅには開口１６ｆが形成されている。
【００２６】
さらに、コネクタ設置枠１６には蓋体４に設けられている凸部４ａが回動自在に配設される一対の第２支持凹部１６ｇが設けられている。
【００２７】
連結端子２４には枠部２４ａと付勢部２４ｂとが設けられている。枠部２４ａは、連結端子設置部１６ｅに配置される。枠部２４ａには開口２４ｃが形成されており、この開口２４ｃには開口１６ｆを介してスイッチ端子５の作用部５ａが配設されるようになっている。付勢部２４ｂは、連結端子２４をコネクタ設置枠１６に形成されている連結端子設置部１６ｅの所定位置に付勢配置させる所定の付勢力を有している。
【００２８】
ＨＤＤ８は、コネクタ本体１１に接続された電子カメラ（不図示）から転送されるデータを記録することが可能である。なお、ＨＤＤ８とコネクタ本体１１とは図示しない信号ケーブルによって電気的に接続されている。
【００２９】
図４を参照して蓋体４、コネクタ１０、コネクタ設置枠１６等の上板３への取付けについて説明する。
【００３０】
図３に示した基板８ａが一体に設けられたＨＤＤ８や、ＨＤＤ８を保持する固定用板金部材、コネクタ１０及びコネクタ１０を回動自在に保持するコネクタ設置枠１６は上板３に取り付けられる。
【００３１】
図４に示すように、まず、上板３の内面３ｃを図中の上方向に向けた状態にして、上板３の開口部３ａに回転支点軸部材２５を介して蓋体４を取り付ける。
【００３２】
次に、コネクタ１０を設けた状態のコネクタ設置枠１６を上板３に取り付けるため、コネクタ設置枠１６、スイッチ端子５、コネクタ１０、捻りコイルバネ１８、伝達用歯車２３、連結端子２４、Ｅリング２６等を用意する。
【００３３】
そして、コネクタ設置枠１６に設けられている第１支持凹部１６ｂ、１６ｃにコネクタ１０を構成する第２載置部材１５に設けられている回動保持部１５ｂを配設する。このことによって、コネクタ１０がコネクタ設置枠１６の凹部１６ａ内に回動自在な状態で配設される。
【００３４】
次いで、コネクタ設置枠１６の軸部１６ｄに伝達用歯車２３を配置する。このとき、伝達用歯車２３と回動保持部１５ｂに設けられているコネクタ側歯車２２とを噛合状態にする。その後、軸部１６ｄの先端部に形成されている周溝（不図示）にＥリング２６を嵌め込む。このことによって、軸部１６ｄにコネクタ側歯車２２と噛合する伝達用歯車２３が回動自在に配設される。
【００３５】
次に、コネクタ設置枠１６の連結端子設置部１６ｅに連結端子２４の枠部２４ａを配設させた状態にして、コネクタ設置枠１６を上板３の所定位置に設置する。このとき、コネクタ設置枠１６に設けられている第２支持凹部１６ｇに凸部４ａを配置させるとともに、コネクタ設置枠１６に設けられている一対の締結ネジ取付部１６ｈを、雌ねじを有する一対のコネクタ締結部３ｄの上に配置させる。
【００３６】
そして、図示しない締結ネジを締結ネジ取付部１６ｈの透孔１６ｉに配置し、締結ネジをコネクタ締結部３ｄの雌ねじに螺合する。このことによって、コネクタ設置枠１６が上板３に固定される。
【００３７】
このとき、図５及び図６に示すようにコネクタ１０を構成するコネクタ本体１１の接点端子側を横方向に向けた状態にして蓋用歯車２１と伝達用歯車２３とが噛合した状態にする。このことによって、連動動作機構である動力伝達機構が蓋用歯車２１、伝達用歯車２３、コネクタ側歯車２２とで構成される。この動力伝達機構は、いわゆる歯車列を備えた歯車伝達機構であり、コネクタ１０を構成する第２載置部材１５の付勢力による回動動作に対して蓋体４の開閉動作が連動動作するとともに、蓋体４の手動による開閉動作に対してコネクタ１０を構成する第２載置部材１５の回動動作が連動動作する。
【００３８】
図７に示すように歯車伝達機構を構成する伝達用歯車２３が設けられる軸部１６ｄには、蓋体４の開き速度を適宜設定する、シリコンゲル剤３１を介在させた、ダンパ機能部３０が設けられている。このことによって、閉状態の蓋体４が開状態に変化するとき、蓋体４は所望の状態で開動作を行う。
【００３９】
この後、スイッチ端子５の作用部５ａを上板３の表側から貫通孔３ｂに挿入配置する。また、捻りコイルバネ１８を凸部１５ｃに配設し、図５に示すように捻りコイルバネ１８の一端部１８ａを突起部１６ｋに引っ掛け配置する。このとき、作用部５ａを開口１６ｆ近傍に引っ掛け配置する。このことによって、コネクタ１０を構成する載置部材１３、１５で保持されたコネクタ本体１１は、捻りコイルバネ１８の付勢力によって、図に示すように接点端子  側を横方向に向けた姿勢に保持される。
【００４０】
次に、ＨＤＤ８と固定用板金部材とを上板３の所定位置に固定する。このことによって、上板３へのコネクタ１０及びＨＤＤ８の取付けが完了する。 
そして、最後に、下板６を上板３に一体に固定する。このことによって、図１に示したカメラ装着装置１が構成される。
【００４１】
上述のように構成したカメラ装着装置１に設けられているコネクタ１０の動作を説明する。 
カメラ装着装置１を構成する蓋用歯車２１と、伝達用歯車２３と、コネクタ側歯車２２とは、噛合状態である。したがって、図１に示す状態において、例えば使用者によってスイッチ端子５が押圧操作されると、連結端子２４の枠部２４ａが付勢部２４ｂの付勢力に抗して移動されることによって、蓋体４の閉状態が解除されて、回転支点軸部材２５を軸にして開動作可能な状態になる。
【００４２】
蓋体４が開動作可能な状態になると、捻りコイルバネ１８の付勢力によって第２載置部材１５が回動動作を開始する。つまり、コネクタ本体１１を第１載置部材１３とともに挟持保持している第２載置部材１５が回動保持部１５ｂを軸にして回転を開始して、横方向を向いていた接点端子側が徐々に上方向を向くように回転していく。
【００４３】
また、第２載置部材１５が回転するにしたがって、コネクタ側歯車２２が回転する。すると、このコネクタ側歯車２２の回転がダンパ機能部３０を備えた伝達用歯車２３を介して蓋用歯車２１に伝達される。このことによって、第２載置部材１５の回転移動に伴って蓋体４が開動作していく。
【００４４】
そして、図２及び図８に示すようにコネクタ本体１１を保持している第２載置部材１５と回転支点軸部材２５とが当接状態になることによって、第２載置部材１５の回転が停止されて、コネクタ本体１１に設けられている接点端子が上方向を向いた状態で、かつ蓋体４が開位置で停止した開状態になる。
【００４５】
この状態で、例えば図示しない電子カメラの側面部を蓋体４に沿わせた状態にして上板３上に電子カメラを載置する。このことによって、電子カメラ又はクレードルに設けられている案内穴が位置決め用凸部１３ａに係入配置された状態になった後、電子カメラに設けられてい外部機器接続用コネクタとコネクタ本体１１とが電気的に接続される。このことによって、電子カメラに保存されている画像データがＨＤＤ８へ転送される。
【００４６】
この後、電子カメラの外部機器接続用コネクタとコネクタ本体１１との接続状態を解除し、蓋体４を開状態から閉状態にする。その際、まず、蓋体４を捻りコイルバネ１８の付勢力に抗して閉位置側に押し倒していく。すると、蓋体４の閉動作に伴って蓋用歯車２１が回転する。
【００４７】
この蓋用歯車２１の回転は、ダンパ機能部３０を備えた伝達用歯車２３を介してコネクタ側歯車２２に伝達される。このことによって、蓋体４の閉動作に伴ってコネクタ本体１１が回転移動する。そして、蓋体４が閉位置に移動したとき、連結端子２４の枠部２４ａが移動されて蓋体４が閉状態になるとともに、コネクタ本体１１の接点端子が横方向を向いて上板３と下板６とで形成される内部空間内に収納された状態になる。
【００４８】
なお、本実施形態においては、外装部材２を構成する上板３と下板６とで形成される内部空間内に設けられる記録再生装置をＨＤＤ８としているが、記録再生装置はＨＤＤ８に限定されるものではなく、例えば図９に示すようにＤＶＤ−Ｒ、ＤＶＤ−ＲＷやＤＶＤ−ＲＡＭが載置されるテーブル８ｂを有するカメラ装着装置１Ａ等であってもよい。
【００４９】
また、本実施形態においては、図６及び図８に示すように蓋体４が開位置と閉位置に位置している状態において、蓋体４からコネクタ１０を構成するコネクタ本体１１までの間隔Ｔと、蓋体４からコネクタ１０を構成するコネクタ本体１１までの間隔ｔとの間に、
Ｔ＞ｔ    の関係か設定されるように、回動保持部１５ｂが配設される第１支持凹部１６ｂ、１６ｃの配置位置を設定している。
【００５０】
このように、コネクタ本体をコネクタ枠に対して回動自在に配設される載置部材で保持することによって、載置部材の回動動作に伴って、コネクタ本体を外装部材の内部空間内で横向きに収納した状態と、開口部から直立して露出した接続状態とに切り替えることができる。このことによって、コネクタ本体が外装部材の内部空間内に横向きで収納されるので、コネクタ本体を確実に保護することができるとともにスペースを有効利用して装置の厚みを薄くすることができる。そして、収納状態においてコネクタ本体の接点端子が埃等で汚れることを防止することができる。
【００５１】
また、コネクタ本体が露出される上板に形成される開口部に、回動自在に動作する蓋体を設けるとき、この蓋体とコネクタ本体を保持する載置部材とを歯車列を備えた歯車伝達機構によって、連動動作する構成にしたことによって、蓋体を開位置に配置させたとき、コネクタ本体が開口部から直立して露出した接続状態にすることができるとともに、蓋体を閉位置に配置させたときコネクタ本体を外装部材の内部空間内に横向きに収納した状態にすることができる。このことによって、コネクタ本体が横向きで内部空間内に収納された状態のとき、開口部が蓋体によって確実に閉じられた状態になるので、コネクタ本体をより確実に保護することができるので持ち運び性の向上を図ることができる。そして、収納状態においては見た目が良好になるとともに、コネクタ本体の接点端子が埃等で汚れることを、より確実に防止することができる。
【００５２】
本実施形態において動力伝達機構を、歯車列を備えた歯車伝達機構としているが、動力伝達機構は歯車伝達機構に限定されるものではなく、歯車の代わりにプーリーを設け、そのプーリー間にベルトを掛け渡して構成するベルト伝動機構や、摩擦車によるもの、或いはカム機構によるもの等の機械的伝達機構であってもよい。
【００５３】
なお、本発明は、以上述べた実施形態のみに限定されるものではなく、発明の要旨を逸脱しない範囲で種々変形実施可能である。
【００５４】
［付記］
以上詳述したような本発明の上記実施形態によれば、以下の如き構成を得ることができる。
【００５５】
１、外装部材の内部空間内に配設される記録再生するための記録再生装置と、
電子カメラ又はクレードルが載置される、前記外装部材を構成する、開口部を設けた、上板と、
前記開口部に配置され、開閉自在な蓋体と、
前記蓋体が開状態において前記開口部から露出して、前記上板に載置される電子カメラ又はクレードルが接続されるコネクタ本体と、
前記コネクタ本体を前記蓋体の回動動作に連動させて、前記開口部から直立して露出する状態から前記内部空間内に横向きで収納される状態まで回動自在に保持する載置部材と、
を具備するカメラ装着装置。
【００５６】
２．前記蓋体を前記上板に対して閉状態に保持する保持手段を備え、
前記保持手段は、前記上板に摺動自在に配設されるスイッチ端子と、このスイッチ端子の動作に伴って摺動する連結端子とを具備する付記１に記載のカメラ装着装置。
【００５７】
３．前記連結端子は、弾性部材又は合成樹脂で形成される付記２に記載のカメラ装着装置。
【図面の簡単な説明】
【００５８】
【図１】蓋部が閉状態のカメラ装着装置を示す図
【図２】蓋部が開状態でコネクタ部が露出した状態のカメラ装着装置を示す図
【図３】カメラ装着装置の上板と下板とで構成される内部空間に配設されるコネクタとＨＤＤとを説明する図
【図４】カメラ装着装置の上板に取り付けられるコネクタを説明する図
【図５】カメラ装着装置の上板に取り付けられたコネクタを説明する図
【図６】図５のＢ−Ｂ線断面図であって閉状態の蓋部とコネクタとの関係を説明する図
【図７】図５のＡ−Ａ線断面図
【図８】図５のＢ−Ｂ線断面図であって開状態の蓋部とコネクタとの関係を説明する図
【図９】カメラ装着装置の他の構成例を説明する図
【符号の説明】
【００５９】
１…カメラ装着装置
３…上板
４…蓋体
１０…コネクタ    
１１…コネクタ本体    
１３…第１コネクタ載置部材（第１載置部材）    
１５…第２コネクタ載置部材（第２載置部材）    
１６…コネクタ設置枠
代理人    弁理士    伊藤  進
【図１】
2006005484.tif 000003
【図２】
2006005484.tif 000004
【図３】
2006005484.tif 000005
【図４】
2006005484.tif 000006
【図５】
2006005484.tif 000007
【図６】
2006005484.tif 000008
【図７】
2006005484.tif 000009
【図８】
2006005484.tif 000010
【図９】
2006005484.tif 000011